(57)【特許請求の範囲】
【請求項１】
少なくとも、個々の車輪の速度を示す車輪センサ信号が演算装置に供給される、４輪車両の走行状態を示す量を求める方法であって、
横方向加速度およびまたはヨー速度を算出するために、その都度、車両左側と車両右側に配置された車輪の各々１個ずつの車輪速度が参照され、この場合閾値を超えないスリップを有する車輪が選択され、
個々の車輪センサが正常であるかどうかがチェックされ、正常でない場合には、他の対の車輪が選択され、
車輪センサが正常であるかどうかが、車輪センサの故障時にアンチロックコントロールシステムのコントローラによってセットされるエラーフラッグによってチェックされる方法において、
或る時点で２個の車輪が選択判定基準を満たしていない場合に、エラー車輪速度の外挿が、その前に測定した車輪速度によって行われること、および
或る時点で２個の車輪が選択判定基準を満たしていない場合に、最後に検出した車輪速度が一定であると見なされることを特徴とする方法。
【発明の詳細な説明】
本発明は、請求項１の上位概念に記載した、車両の走行状態を示す量を求める方法に関する。
中級および高級の大量生産車両は、例えば安全ベルト、エアバッグ、クラッシュ変形ゾーンおよびサイドインパクト保護装置のようなパッシブ安全装置のほかに、アクティブ安全性を高める装置を益々装備するようになってきた。このような装置は例えば、アンチロックコントロール装置、トラクションスリップコントロール装置およびカーブ通過時にヨーモメントをコントロールする装置である。アクティブ安全性を高める装置は、例えばブレーキシステムの介入のための細目を供給する電子コントローラのほかに、車両の状態の検知およびコントロール介入を可能にする車両の付加的な構成要素を必要とする。特に付加的な車両構成要素、例えばヨー速度または車両横方向加速度を検出するための複雑なセンサは、アクティブ安全性を高めるシステムの価格を上昇させる。従って、このようなシステムの価格を下げることが開発の重要な目的である。そのために例えば、高価なセンサによってのみ測定可能な状態量を、低価格のセンサまたは既設のセンサの信号によって模擬的に求めることができるようにすべきである。
そこで、ドイツ連邦共和国特許出願公開第４２１６３０１号公報には、冒頭に述べた種類の方法が提案されている。この方法は車両のヨー速度、すなわち車両の垂直軸線回りの角速度を測定するためのヨーレイトセンサの組み込みを不要にする。ヨーレイトセンサの代わりに、軸方向にずらした２個の横方向加速度センサが車両に取付けられる。この横方向加速度センサの信号から、車両の前側の横方向加速度値と後側の横方向加速度値が生じる。それによって、ロール運動を考慮しないで、ヨー加速度と車両横方向加速度が簡単に測定可能である。カーブでの車両のロールが考慮されると、全体の演算が複雑になるが、最終的には結果が得られる。
本発明の課題は、車両のセンサ装置を更に減らし、それによってアクティブ安全性を高めるための装置、特にヨートルクコントロールのための装置のコストを低減させることができる方法を提供することである。
請求項４及び５に記載されている「選択判定基準」という用語は、異なる４対の車輪から、車輪回転数（車輪回転速度）を評価するために適当な一対の車輪を選択する判定基準である。
この課題は請求項１の特徴部分に記載した特徴によって解決される。本発明の原理は、車両の各々の側に配置された車輪の各々１個ずつの異なる車輪回転数を評価することにより、横方向加速度センサも不要にすることにある。この車輪の選択は勿論、所定の判定基準に結びつけられ、この場合選択された車輪が過剰のスリップ状態にないことが重要である。
両前輪または両後輪の車輪回転数を評価することにより、横方向加速度センサを置換することが既に試みられた。しかし、両車輪が安定した状態にあるとき、すなわち過剰のスリップ状態にないときにのみ、使用される算出方法は現状を映し出すことが判った。しかし、１対の車輪が不変であるときは、一方の車輪をスリップコントロールしなければならないことが比較的に頻繁に起こる。このような場合、車両状態を測定するためのこの方法は適切に作用しない。
これに対して、本発明の場合には、異なる４対の車輪から、車輪回転数（車輪回転速度）を評価するために、適当な２個の車輪を用いることできる。すなわち、対の車輪は前車軸の両車輪または後車軸の両車輪またはそれぞれ斜めに対向する前車軸および後車軸の車輪である。通常の場合、スリップコントロールの間は、上記の４対の車輪の少なくとも１対の車輪がコントロールされない。これは、４つの車輪回転数から２つを選びだすために、４つすべての車輪回転数が選択のために提供されると、走行状態が不安定であるときにも、ヨー速度およびまたは横方向加速度を模擬的（シミュレーション的に）に求めることができることを意味する。
勿論、安全上の理由から、所定の対の車輪を選択するときに、車輪センサの信号が信頼できるものであるかどうかがチェックされる。車輪回転数がヨー速度およびまたは横方向加速度を模擬的に求めるために使用されると、先ず最初に、例えば車輪速度の外挿（推定）が行われたかどうかあるいは車輪速度の校正のための概算が終了していないかどうかがチェックされる。車輪速度が車輪回転数に基づいて信頼できるように求めることができる場合、この車輪速度によって模擬的に求めるべき量を算出することができる。
更に、勿論、個々の車輪センサが正常であるかどうかがチェックされる。正常でない場合には、他の対の車輪が選択される。
車両が車輪センサの信号を評価し車輪センサが正常であるかどうかを検査するアンチロックコントロールシステムを備えていると、欠陥のある車輪センサはアンチロックコントロールシステムのいわゆるエラーフラッグによって識別可能である。
或る時点で、安定した走行状態でありかつ正常な車輪センサを有する、異なる車輪側に配置された２個の車輪が存在しないと、瞬時の車輪回転数または車輪速度は、その前に測定した値を外挿することによってまたはそのまま用いることによって置き換え可能である。
車両のヨー速度（数１）と横方向加速度ａqを算出するために選択された対の車輪に依存して、車両のヨー速度と横方向加速度のための計算式を示す表が添付されている。その際、
（数１）    ヨー速度
ａq         横方向加速度
ｖvr        右前の車輪の速度
ｖvl        左前の車輪の速度
ｖhr        右後の車輪の速度
ｖhl        左後の車輪の速度
Ｓ          車両のトレッド
である。
通常は、１回の算出サイクル内で、表に記載した少なくとも１つの状況が当てはまるので、本発明の方法に従って量を算出するために１対の車輪を用いることができる。しかし、全部の車輪または少なくとも３個の車輪がスリップ状態にあるかあるいはそのエラーフラッグがセットされていることがあり得る。このような状況では、横方向加速度とヨー速度の量はもはや、表に示した式によって算出することができない。
このような場合或る解決策では、信号がその前の値を採択し、このサイクルでは一定である。この状況の持続時間は通常は非常に短い。しかし、このような状況が長く続くと、車両が数学的に表せない大きなダイナミック状態にあることを意味する。この状態はブレーキ介入によるヨートルクコントロールによっても恐らく解除することが不可能である。
しかし、車輪センサ信号にエラーがあるときに、車両縦方向加速度によって瞬時の車輪速度を外挿することができる。
ｖvr（i＋1）＝ｖvr（i）＋ａfzg ｔo
ｖvl（i＋1）＝ｖvl（i）＋ａfzg ｔo
ｖhr（i＋1）＝ｖhr（i）＋ａfzg ｔo
ｖhl（i＋1）＝ｖhl（i）＋ａfzg ｔo
この場合、
ｖxx        車輪ｘｘの基準速度
ａfzg       車両縦方向加速度
ｔo         外挿サイクルの間のインターバル
ｉ          外挿サイクルの回転インデックス
である。
瞬時の車輪回転数のこのような外挿の場合勿論、車輪スリップを遅れて認識すると、初期値が不正確になる。従って、瞬時の車輪回転数を算出する際に、一定の付加的なエラーが生じ、このエラーは低域ろ波によって最小限に抑えることができない。
これに対して、車輪スリップを遅れて認識する際、安定した走行状態にある車輪が少なくとも１対存在すると、上記と事情が異なる。短時間のエラーが生じるだけであり、このエラーは次の算出の際に除去される。このようなエラーは低域フィルタを使用することによって最小限に抑えることができる。
走行実験からのデータによって、本発明による方法を検査し、次のような方法を比較した。すなわち、ヨー速度または横方向加速度の相互の模擬的に求めることよってこの両量を得るかまたは前輪の操舵角度に基づいてあるいは例えば前車軸あるいは後車軸の所定の対の車輪の車輪速度によってこの量を模擬的に求める方法と比較した。
本発明による方法は、上記の方法と比較したときに、特にヨートルクコントロールの場合にはるかに良好な結果を示した。なぜなら、本発明による方法は、少なくとも２個の車輪が所定のスリップ値以下である限り、動的（ダイナミック）走行状態の場合にも適用可能であるからである。定常的な走行状態では先ず最初は、車輪センサの信号ノイズに基づいて少なくともろ波されず、ヨー速度およびまたは横方向加速度を他の信号によって模擬的に求める上記の方法ほど、結果は良好ではない。しかし、信号ノイズは低域ろ波によって簡単に除去可能であり、従って外乱作用が排除される。
0004301574.tif 000002